(57)【特許請求の範囲】
【請求項１】
モータハウジングの後方に電動工具の後端に向かって伸び、電装品を設置するための面を有する板状体としてのマウント部を設けると共に、該マウント部の少なくともその一側面に嵌合用の凹溝を設け、
前記電動工具に装着される電装品をユニット化すると共に、該電装品に前記マウント部の凹溝に嵌合する嵌合爪を設け、
該電装品のユニットを前記マウント部に対して、前記嵌合爪を前記凹溝に嵌合させつつ後方から前方へ向かってスライドさせて該マウント部に装着する様に構成した携帯用電動工具における電装品の装着構造であって、
前記電装品のユニットの底面又は上面を平坦状とすると共に、前記嵌合爪を前記電装品のユニットの底面又は上面の側縁の近傍に設け、
前記マウント部に装着された前記電装品を、前記モータハウジングの後方から装着されるリヤカバーによってモータハウジングに向かって押さえ付けて固定する様に構成したこと
を特徴とする携帯用電動工具における電装品の装着構造。
【発明の詳細な説明】
【０００１】
【発明の属する技術分野】
本発明は、携帯用電動工具における電装品の装着構造に関するものである。
【０００２】
【従来の技術】
従来、携帯用電動工具においては、モータハウジングの後方にリヤカバーを装着し、このリヤカバー内にスイッチ部品や速度コントローラ等の電装品を収納する様にしている。そして、これら電装品を取り付けるためのマウント部をモータハウジングの後方に設けたものが知られている。
【０００３】
【発明が解決しようとする課題】
しかし、従来の携帯用電動工具においては、電装品を固定するマウント部の形状が複雑であり、金型構造を複雑化して大きくなると共に金型寿命を短くしてしまうという問題がある。また、従来の携帯用電動工具においては、マウント部への電装品の装着作業が面倒であるという問題もある。
【０００４】
そこで、本発明は、携帯用電動工具において、モータハウジングの金型形状を単純化し小型化を可能にすると共に、金型コストの低減と金型の寿命を延ばすことができ、かつ、電装品の装着を簡単に実施できる様にすることを目的とする。
【０００５】
【課題を解決するための手段】
かかる目的を達成するためになされた本発明の携帯用電動工具における電装品の装着構造は、モータハウジングの後方に電動工具の後端に向かって伸び、電装品を設置するための面を有する板状体としてのマウント部を設けると共に、該マウント部の少なくともその一側面に嵌合用の凹溝を設け、前記電動工具に装着される電装品をユニット化すると共に、該電装品に前記マウント部の凹溝に嵌合する嵌合爪を設け、該電装品のユニットを前記マウント部に対して、前記嵌合爪を前記凹溝に嵌合させつつ後方から前方へ向かってスライドさせて該マウント部に装着する様に構成した携帯用電動工具における電装品の装着構造であって、前記電装品のユニットの底面又は上面を平坦状とすると共に、前記嵌合爪を前記電装品のユニットの底面又は上面の側縁の近傍に設け、前記マウント部に装着された前記電装品を、前記モータハウジングの後方から装着されるリヤカバーによってモータハウジングに向かって押さえ付けて固定する様に構成したことを特徴とする。
【０００６】
この本発明の携帯用電動工具における電装品の装着構造によれば、電装品を装着するに当たっては、電装品のユニットの嵌合爪をマウント部に設けられている凹溝に嵌合させつつ後方から前方へ向かってスライドさせることにより、電装品をマウント部に装着することができる。この結果、マウント部の形状が単純化され、金型形状を単純化すると共に、金型形状が単純化されることにより小型化を図ることができる。また、金型寿命の延命化を図ることもできる。さらに、電装品の装着作業も簡単にすることができる。
【０００８】
ここで、本発明の携帯用電動工具における電装品の装着構造においては、前記マウント部を電装品を設置するための面を有する板状対として構成すると共に、少なくともその一側面に嵌合用の凹溝を設け、前記電装品のユニットの底面又は上面を平坦状とすると共に、前記嵌合爪を前記電装品のユニットの底面又は上面の側縁の近傍に設けたので、マウント部の形状が単純化され、金型形状を単純化すると共に、金型形状が単純化されることにより小型化を図ることができ、金型寿命の延命化を図る上で有利となっている。
【００１０】
また、本発明の携帯用電動工具における電装品の装着構造においては、前記マウント部に装着された前記電装品を、前記モータハウジングの後方から装着されるリヤカバーによってモータハウジングに向かって押さえ付けて固定する様に構成したので、電装品の装着・固定に当たって、電装品をマウント部にネジ止めする等の作業を行わなくてもよい。また、電装品をリヤカバーでモータハウジングに向かって押さえ付けて固定する構成を採用することにより、上述したような平板状のマウント部に対して簡単に電装品を装着・固定することができる様になっており、かかる構成の採用により、マウント部を平坦状にすることを可能ならしめると共に携帯用電動工具の組立作業を単純化することが可能になっている。
【００１１】
また、上述の携帯用電動工具における電装品の装着構造において、前記マウント部の上下面に軸方向に伸びる複数の凹溝を形成しておくとよい。
【００１２】
かかる構成を採用することにより、モータハウジングの軽量化と、金型からの抜き出し易さを確保することができる。
【００１３】
【発明の実施の形態】
次に、本発明の実施の形態について説明する。実施の形態としての携帯用ディスクグラインダ１は、図１に示す様に、モータ３を収納するモータハウジング５と、このモータハウジング５の前方に装着されるギヤハウジングカバー７と、このギヤハウジングカバー７の前方に装着されるギヤハウジングコンプリート９と、モータハウジング５の後方に装着されるリヤカバー１１とを備えている。モータハウジング５内には、モータ３が収納されている。また、ギヤハウジングコンプリート９の中には、スパイラルベベルギヤ１３，１５が、ボールベアリング１７，１９，２１によって、モータ軸３ａ及びスピンドル１５ａに回転可能に支持されている。そして、スピンドル１５ａの先端には、インナフランジ２３及びロックナット２５によって上下から挟み付けられる様にして砥石２７が固定されている。
【００１４】
また、モータハウジング５の後方には、図１〜図５に示す様に、後端に向かって伸びる平板状のマウント部２９が一体成形されている。そして、この平板状のマウント部２９には、図４（Ｂ）に示す様に、その両側面にＶ字状に凹入するアリ溝３１，３１が設けられている。また、この平板状のマウント部２９の上下面には、軽量化と金型からの抜き出し易さを確保するために、複数の凹溝２９ａが設けられている。さらに、この平板状のマウント部２９には、リヤカバー１１をネジ３３（図１参照）にて固定するためのネジ止め部３５が設けられている。
【００１５】
また、図１に示す様に、リヤカバー１１内には、スイッチブロック３７とコントローラ３９とが固定されている。スイッチブロック３７は、図６に示す様に、スイッチ部分とコンデンサをユニット化したものであり、その底面３７ａは平坦形状とされている。そして、この底面３７ａには、平板状のマウント部２９のアリ溝３１，３１に嵌合する嵌合爪４１，４１が設けられ、さらに上面３７ｂには電源コードを固定するコード取付部３７ｃが設けられている。また、コントローラ３９も、図７に示す様に、ユニット化されると共に、その上面３９ａが平坦形状とされている。そして、この上面３９ａには、平板状のマウント部２９のアリ溝３１，３１に嵌合する嵌合爪４３，４３が設けられている。
【００１６】
そして、これらスイッチブロック３７及びコントローラ３９は、図１，図８に示す様に、平板状のマウント部２９に対して、そのアリ溝３１に嵌合爪４１，４３を嵌合させつつ、マウント部２９の後方から前方に向かってスライドさせながら嵌合・装着される様になっている。
【００１７】
この様にしてモータハウジング５の後方に伸びるマウント部２９に対して嵌合・装着されたスイッチブロック３７は、図１に示す様に、弾性体であるコードガード４５を介して、リヤカバー１１によって押圧されてリヤカバー１１内の空間に固定される様になっている。また、モータハウジング５の後方に伸びるマウント部２９に対して嵌合・装着されたコントローラ３９は、図１に示す様に、リヤカバー１１によって直接押圧されてリヤカバー１１内の空間に固定される様になっている。
【００１８】
ここで、マウント部２９への部品組付手順を説明すると、まず、リヤカバー１１のコード挿通孔に電源コード４４を外側から通し、さらに電源コード４４にコードガード４５を内側より通して取り付ける。次に、電源コード４４の端をスイッチブロック３７のコード取付部３７ｃにコードクランプ４７を使用してネジ止めする。そして、リード線を配線した後に、マウント部２９へコントローラ３９とスイッチブロック３７を嵌合し、リヤカバー１１をマウント部２９にセットしてネジ止め部３５にネジで固定することで完成する。
【００１９】
以上説明した様に、本実施の形態の携帯用ディスクグラインダ１によれば、モータハウジング５の金型形状を単純化し小型化できると共に、金型コストの低減と金型の寿命を延ばすことができ、かつ、電装品であるスイッチブロック３７及びコントローラ３９の装着作業を簡単に実施できる様にすることができる。
【００２０】
以上、本発明の実施の形態について説明したが、本発明はこの実施の形態に限られるものではなく、その要旨を逸脱しない範囲内においてさらに種々の形態を採用することができることはもちろんである。
【００２１】
例えば、携帯用ディスクグラインダに限らず、ダイグラインダやオービタルサンダー等の各種の電動工具に適用しても構わないことはいうまでもない。また、マウント部２９に設けるアリ溝３１は、少なくとも一方の側面にのみ設けておけば足りる。さらに、マウント部２９の上下面に凹溝２９ａを設けない構造としても構わない。加えて、実施の形態ではアリカマ構造によって電装品をマウント部２９の側面に設ける凹溝の形状はＶ字形状に限らない。
【００２２】
【発明の効果】
以上説明した様に、本発明によれば、携帯用電動工具において、モータハウジングの金型形状を単純化し小型化を可能にすると共に、金型コストの低減と金型の寿命を延ばすことができ、かつ、電装品の装着を簡単に実施できる様にすることができる。
【図面の簡単な説明】
【図１】  実施の形態の携帯用ディスクグラインダの内部構造を示す断面図である。
【図２】  実施の形態の携帯用ディスクグラインダのモータハウジングの正面図である。
【図３】  実施の形態の携帯用ディスクグラインダのモータハウジングの平面図である。
【図４】  実施の形態の携帯用ディスクグラインダのモータハウジングを示し、（Ａ）は底面図、（Ｂ）はＡ−Ａ断面図である。
【図５】  実施の形態の携帯用ディスクグラインダのモータハウジングを示すＢ−Ｂ断面図である。
【図６】  実施の形態で採用しているスイッチブロックを示し、（Ａ）は背面図、（Ｂ）は左側面図、（Ｃ）は上面図、（Ｄ）は右側面図、（Ｅ）は底面図、（Ｇ）は正面図である。
【図７】  実施の形態で採用しているコントローラを示し、（Ａ）は底面図、（Ｂ）はＣ−Ｃ断面図、（Ｃ）は上面図、（Ｄ）は右側面図である。
【図８】  実施の形態におけるスイッチブロック及びコントローラの装着状態を示す右側面図である。
【符号の説明】
１・・・携帯用ディスクグラインダ、３・・・モータ、３ａ・・・モータ軸、５・・・モータハウジング、７・・・ギヤハウジングカバー、９・・・ギヤハウジングコンプリート、１１・・・リヤカバー、１３，１５・・・スパイラルベベルギヤ、１５ａ・・・スピンドル、１７，１９，２１・・・ボールベアリング、２３・・・インナフランジ、２５・・・ロックナット、２７・・・砥石、２９・・・平板状のマウント部、２９ａ・・・凹溝、３１・・・アリ溝、３３・・・ネジ、３５・・・ネジ止め部、３７・・・スイッチブロック、３７ａ・・・底面、３７ｃ・・・コード取付部、３９・・・コントローラ、３９ａ・・・上面、４１・・・嵌合爪、４３・・・嵌合爪、４４・・・電源コード、４５・・・コードガード、４７・・・コードクランプ。
【図１】
0003672774.tif 000002
【図２】
0003672774.tif 000003
【図３】
0003672774.tif 000004
【図４】
0003672774.tif 000005
【図５】
0003672774.tif 000006
【図６】
0003672774.tif 000007
【図７】
0003672774.tif 000008
【図８】
0003672774.tif 000009